(57)【特許請求の範囲】
【請求項１】
上型と下型とを対向させ、操作ボックスからの入力情報に従って前記下型を上昇させて被加工材を折り曲げる板金加工機において、
前記下型が取り付けられる下部テーブル側に、可動子部側を取り付け、かつ前記下部テーブルを挟む前板及び後板側に、前記可動子部に対応させた固定子部側を取付けて形成したリニアモータを、所定間隔に複数配列したリニアモータ型の下部テーブル部と、
前記リニアモータ毎に設けられ、前記可動子部の上昇位置と、前記可動子部の現在位置とを入力し、両位置差を変量とし、この変量に追従させる制御量の電力を前記リニアモータの電機子コイルに供給するドライブ部と、
前記操作ボックスの入力情報から前記下部テーブルの前記上型に対する各リニアモータの加圧力と、前記複数のリニアモータの可動子部の上昇位置を求め、これらの上昇位置を該当する前記ドライブ回路に送出すると共に、前記各リニアモータの加圧力に対応する電力量を、該当する前記ドライブ回路部に設定する制御部と
を有することを特徴とするリニアモータを用いた板金加工機。
【請求項２】
前記下部テーブルに用いるリニアモータは、平型、円筒又は四角タイプにされていることを特徴とする請求項１記載のリニアモータを用いた板金加工機。
【請求項３】
前記制御部は、前記下部テーブルの中央部付近に設けられた所定数のリニアモータに対応する所定数のドライブ回路部には、前記下部テーブルが前記下型、前記被加工板を介して前記上型に作用したときのクラウニングを考慮した加圧力の電力及び上昇位置を設定することを特徴とする請求項１又は２記載のリニアモータを用いた板金加工機。
【請求項４】
下型が取り付けられて板金加工機の上型に、所定の加圧力をリニアモータ方式で作用させるリニアモータ型の下部テーブル装置であって、
前記上型の長さに対応する左右方向に長い下部テーブルと、
可動子部側を前記下部テーブルに取付け、かつ前記下部テーブルが板金加工機に取り付けられたとき、前記下部テーブルを挟む前板側及び後板側に、固定子部が取り付け可能に形成された複数のリニアモータと
から成るリニアモータ型の下部テーブル装置。
【請求項５】
前記リニアモータは、
前記下部テーブルの中央に近づくに従って、順次形状が大きくされて取り付けられていることを特徴とする請求項４記載のリニアモータ型の下部テーブル装置。
【請求項６】
前記リニアモータは、可動子部及び固定子部が平板形状であり、
この平板の可動子部が前記下部テーブルの前面及び後面に、それぞれ対向して複数取り付けられ、
前記固定子部は、前記可動子部に対して所定間隔離されて、前記複数の平板の可動子部に対向して前記前板及び後板に取り付けられている
ことを特徴とする請求項４又は５記載のリニアモータ型の下部テーブル装置。
【請求項７】
前記固定子部は、
前記下部テーブルの移動方向に沿って複数の磁性体を、前記前板の後面及び前記後板の前面に固定して形成し、
前記可動子部は、
複数極、複数スロットで形成され、各スロットには３相電機子巻線と界磁巻線とが施され、各巻線は電気角が１２０度ずつずらした分布巻としている
ことを特徴とする請求項４、５又は６記載のリニアモータ型の下部テーブル装置。
【請求項８】
前記平板の固定子部及び平板の可動子部からなるリニアモータに代えて、
前記下部テーブルの前面及び後面には、
内部の４方向面に、それぞれコイルを配列した四角形状の固定子部を、複数取付け、
この四角形状の固定子部の内部に、前記下部テーブルを支持可能な支持ブロックを両端部に取り付けた四角形状の可動子部を通して形成した四角形状のリニアモータを複数配列していることを特徴とする請求項４、５、６又は７記載のリニアモータ型の下部テーブル装置。
【請求項９】
前記平板型及び四角形状のリニアモータに代えて、円筒型のリニアモータを配列したことを特徴とする請求項４記載のリニアモータ型の下部テーブル装置。
【請求項１０】
前記円筒型のリニアモータは、
前記上型の長さに対応する左右方向に長い形状で、かつ所定の大きさの形状の貫通穴が所定間隔で複数設けられた貫通穴付き下部テーブルに配列されることを特徴とする請求項９記載のリニアモータ型の下部テーブル装置。
【請求項１１】
前記円筒型のリニアモータは、
前記貫通穴付き下部テーブルの前記貫通穴毎に設けられ、この貫通穴に、前記固定子部側を、前記貫通穴付き下部テーブルを挟む前板側及び後板側に取り付け可能に形成して垂設している
ことを特徴とする請求項１０記載のリニアモータ型の下部テーブル装置。
【請求項１２】
前記円筒型のリニアモータの固定子部は、前記前板及び後板に対して直角方向に、前記前板及び後板を支持するための支持材が設けられていることを特徴とする請求項９、１０又は１１記載のリニアモータ型の下部テーブル装置。
【請求項１３】
前記円筒型のリニアモータは、
前記固定子部は、放射状に磁化したリング状の永久磁石を偶数極取付け、この永久磁石の外形より大きな円孔を有して外側を板状磁性体で形成し、かつ前記外側周辺部に板状磁性体を前記可動子の円周方向に沿って設けていることを特徴とする請求項９、１０、１１又は１２記載のリニアモータ型の下部テーブル装置。
【請求項１４】
前記円筒型のリニアモータの界磁巻線は、
電気角が１２０度ずつずらした３相巻線にされ、かつその巻線間の電気角が９０度にされていることを特徴とする請求項９、１０、１１、１２又は１３記載のリニアモータ型の下部テーブル装置。
【発明の詳細な説明】
【０００１】
【発明の属する技術分野】
本発明は、油圧に代えてリニアモータによって下部テーブルを可動する板金加工機及びリニアモータ型の下部テーブル装置に関する。
【０００２】
【従来の技術】
従来のベンディングマシンは、図１３に示すように、機械本体部１と、操作ボックス２と、ＮＣ本体部３とから成る。このＮＣ本体部３と操作ボックス２とを総称して単にＮＣ装置という。
【０００３】
前述の機械本体部１の前面には、左右方向に長いほぼ四角形状の上部テーブル４と、この上部テーブル４に対して昇降動作する左右方向に長い下部テーブル５とが上下に対向して設けてある。また、上部テーブル４側にはサイドフレーム６、７を設けている。
【０００４】
前述の下部テーブル５は前板５ａ及び後板５ｂによって挟持されて、上部には下型８が取り付けられている。また、上部テーブル４の下端縁にはホルダ９を介して上型１０が取り付けられ、下型８の上面には、Ｖ字状の溝が設けられている。
【０００５】
また、下部テーブル５は、両側位置に設けられた一対の油圧シリンダ機構１０Ａ、１０Ｂに連結されて上下に往復動するように構築されている。
【０００６】
さらに、下部テーブル５の中央付近両側に設けられた複数のクラウニング・サブシリンダ機構１２Ａ、１２Ｂ、１２Ｃが設けられ、これらのクラウニング・サブシリンダ機構１２Ａ、１２Ｂ、１２Ｃの反発力で上下テーブルのたわみ誤差を補正する。
【０００７】
油圧シリンダ機構１０Ａ、１０Ｂは下型８を下部テーブル５と一体に往復動させるように構築され、上昇時被加工板材に対して上型１０の加圧力が作用し、被加工板材は下型８の溝内に押し込まれて所望の角度だけ折り曲げられる。
【０００８】
前述の各油圧シリンダ機構１０Ａ、１０Ｂは個別制御機構１１により動作が制御される。各個別制御機構１１は交流サーボモータ１３、ドグ１４、ボールネジ機構１５により構成され、下部テーブル５がドグ１４に当たったとき、下部テーブル５の上昇を低速で上昇させるために用いる。
【０００９】
【発明が解決しようとする課題】
しかしながら、従来のベンディングマシンは、油圧シリンダ機構で下部テーブルを上昇、下降させている。
【００１０】
また、下部テーブルの中央付近に設けられた複数のクラウニング・サブシリンダ機構で上下テーブルのたわみ誤差を補正していると共に、油圧シリンダ機構を制御するための個別制御機構を設けている。
【００１１】
すなわち、油圧回路によって、板材を加工する場合は、油圧のための機構が複雑であると共に、装置自体が大型になる。
【００１２】
また、近年はベンディングにおける曲げ加工は、ますます非常に高い精度を要求するようになって来ている。
【００１３】
しかし、油圧によって曲げ加工を行うため、高い精度を得るためには油圧回路を複雑に構築しなければならない。
【００１４】
従って、上下部テーブルの上昇下降制御を油圧によって行わないで、曲げ加工精度を高めることを可能にし、かつコンパクトな板金加工機であることが望ましい。
【００１５】
【課題を解決するための手段】
本発明のリニアモータを用いた板金加工機は、上型と下型とを対向させ、操作ボックスからの入力情報に従って下型を上昇させて被加工材を折り曲げる板金加工機において、下型が取り付けられる下部テーブル側に、可動子部側を取り付け、かつ下部テーブルを挟む前板及び後板側に、可動子部に対応させた固定子部側を取付けて形成したリニアモータを、所定間隔に複数配列したリニアモータ型の下部テーブル部と、リニアモータ毎に設けられ、可動子部の上昇位置と、可動子部の現在位置とを入力し、両位置差を変量とし、この変量に追従させる制御量の電力をリニアモータの電機子コイルに供給するドライブ部と、操作ボックスの入力情報から下部テーブルの上型に対する各リニアモータの加圧力と、複数のリニアモータの可動子部の上昇位置を求め、これらの上昇位置を該当するドライブ回路に送出すると共に、各リニアモータの加圧力に対応する電力量を、該当するドライブ回路部に設定する制御部とを備えたことを要旨とする。
【００１６】
このため、油圧回路を設けなくとも、下部テーブル部の複数のリニアモータが制御部によって演算された加圧力で下部テーブルを上昇させて被加工材を折り曲げることが可能となる。
【００１７】
また、本発明のリニアモータ型の下部テーブル装置は、下型が取り付けられて板金加工機の上型に、所定の加圧力をリニアモータ方式で作用させるリニアモータ型の下部テーブル装置であって、上型の長さに対応する左右方向に長い下部テーブルと、可動子部側を下部テーブルに取付け、かつ下部テーブルが板金加工機に取り付けられたとき、下部テーブルを挟む前板側及び後板側に、固定子部が取り付け可能に形成された複数のリニアモータとからなることを要旨とする。
【００１８】
このため、ベンディングマシンの製造時において、取付精度が重要なリニアモータを作業者がアライメント調整を行いながら取付しなくともよいので、作業時間が短縮する。
【００１９】
【発明の実施の形態】
本実施の形態ではベンディングマシンに本発明を適用させて説明する。図１は本発明の実施の形態の概略構成図である。
【００２０】
＜実施の形態１＞
図１に示すベンディングマシン２０は、下部テーブル部をリニアモータ方式の下部テーブル装置２１にすることによって油圧シリンダ及びクラウニング・サブシリンダ等を取り除いている。
【００２１】
前述のリニアモータ方式の下部テーブル装置２１は、図１に示すように、下部テーブル５の前面及び後面に複数のリニアモータ可動子部２２を取り付け、かつ前板５ａの後面側及び後板５ｂの前面側には、下部テーブル５に取り付けられた複数のリニアモータ可動子部２２に対応する複数のリニアモータ固定子部２３を固定することによって、電磁力で下部テーブル５を上下動させるものである。
【００２２】
また、リニアモータ方式の下部テーブル装置２１は、複数のリニアモータ可動子部２２及びリニアモータ固定子部２３を取り付けている。これは、中央部付近に上下テーブルのたわみ誤差を補正するためである。つまり、クラウニング用に設けている。
【００２３】
前述のリニアモータ方式の下部テーブル装置２１を詳細に説明する。図２は図１のＡ矢視方向の断面図である。図２に示すように、下部テーブル５の前面２５ａ及び後面２５ｂに複数のリニアモータ可動子部２２を取り付けている。
【００２４】
また、前板５ａの後面２６ａ側及び後板５ｂの前面２６ｂ側には、下部テーブル５に取り付けられた複数のリニアモータ可動子部２２に対応する複数のリニアモータ固定子部２３が固定されている。このリニアモータ固定子部２３とリニアモータ可動子部２２とを総称して単にリニアモータと称する。
【００２５】
また、リニアモータ固定子部２３は、リニアモータ可動子部２２に対して所定の間隔を有して取り付けられている。さらに、下部テーブル５の上端部は下型８とホルダ９とが取付可能にされている。
【００２６】
次に、図３を用いてリニアモータ可動子部２２とリニアモータ固定子部２３との関係例を説明する。図３に示すように、実施の形態１のリニアモータは、２次側を構成する直線軌道体が前板５ａ及び後板５ｂにされ、この前板５ａ及び後板５ｂ上で往復運動する平板の移動体であるリニアモータ可動子部２２が下部テーブル５の前面２５ａ及び後面２５ｂに取り付けられている。
【００２７】
また、前述の前板５ａ及び後板５ｂは非磁性体で構成され、この前板５ａの後面２６ａ及び後板５ｂの前面２６ｂに複数の磁性体２８が接着材又はボルト等（図示せず）で固定されている。
【００２８】
さらに、移動体であるリニアモータ可動子部２２は、複数極、複数スロットで構成され、各スロットには、３相電機子巻線２９と界磁巻線３０とが施されている。図３において電機子巻線２９は、英大文字Ｕ、Ｖ、Ｗで示し、界磁巻線３０は英小文字ｕ、ｖ、ｗで示す。また、各巻線は電気各１２０度ずつずらした分布巻にしている。
【００２９】
すなわち、複数の磁性体２８に適宜磁界を発生させてゆけば、電機子巻線２９及び界磁巻線３０が作る推力にてリニアモータ可動子部２２が矢印方向に移動することになる。
【００３０】
このとき、複数のリニアモータ可動子部２２は、下部テーブル５の前面２５ａと後面２５ｂとに取り付けられているため、複数のリニアモータ可動子部２２の移動に伴って移動する。
【００３１】
また、図１においてはベンディングマシンに既にリニアモータ方式の下部テーブル装置２１を取り付けて説明したが、図４に示すようにリニアモータ方式の下部テーブル装置２１（前板及び後板を除く）を例えば予め別工場で製造し、ベンディングマシンがある工場に運んで、前板５ａと後板５ｂの間に挿入して取り付けてもよい。このように、リニアモータ方式の下部テーブル装置２１を別に製造した場合は、ベンディングマシンの製造時において、取付精度が重要なリニアモータを作業者がアライメント調整を行いながら取付しなくともよいので、作業時間が短縮する。
【００３２】
次に、これらのリニアモータは以下に説明する制御系によって駆動される。図５は本実施の形態１の制御系の概略構成図である。本実施の形態１の制御系は、図５に示すように、下部テーブル５に配列された複数のリニアモータ可動子部２２の各巻線に所望の電力を供給する複数のドライブ回路部３５と、ＮＣ本体部３６とから構成される。
【００３３】
前述のＮＣ本体部３６は、操作ペンダント２からの板材の材料特性、曲げ位置、Ｖ溝幅、目標角度等を入力し、これらのデータに基づいてフレームに作用する荷重及び分布状態を計算して、両端部における加圧力を求めると共にクラウニングによるたわみ誤差を補正する加圧力を求める。
【００３４】
そして、これらの各リニアモータの加圧力が入力すると、この加圧力を加えるための下部テーブル５の各上昇位置を求めて各ドライブ回路部３５に出力すると共に、各リニアモータに応じた加圧力を各ドライブ回路部に設定する。
【００３５】
ドライブ回路部３５は、各リニアモータ毎に設けられ、それぞれ３相インバータによる３相交流電源が接続され、各巻線の電流位相角が９０度になるように位相制御する。
【００３６】
従って、リニアモータ可動子部２２の上昇に伴って下部テーブル５が上昇し、被加工板材に対して上型１０の加圧力が作用し、被加工板材は下型８の溝内に押し込まれて所望の角度だけ折り曲げられる。
【００３７】
また、ドライブ回路部３５には、各種センサが接続され、例えば下型８が目標位置まで到達しないときは、さらに電力を上げて目標位置まで上昇させる。
【００３８】
前述のドライブ回路部３５は、図６に示すように構成され、位置偏差アンプ４０は、ＮＣ本体部３６からの位置指令と、下部テーブル５の下方の端部に設けられたセンサ４６からの位置フィードバック信号とにより、位置偏差を演算増幅し、その結果による位置偏差量信号をリニアモータの速度指令信号として速度アンプ４１に出力する。この速度アンプ４１は、位置フィードバック信号を位置ー速度変換アンプ４２により変換された速度フィードバック信号として入力し、速度指令信号と速度フィードバック信号とによる速度偏差を演算増幅し、その演算結果による速度量偏差信号を電流アンプ４３へ出力する。この速度偏差は電流アンプ４３の電機子電流指令となり、電流アンプ４３は、電機子電流指令と電流検出器４４よりの電機子電流のフィードバック信号による電流偏差（推力偏差）を演算増幅し、その演算結果による電流偏差量信号をＤＣサーボアンプ４５に出力してリニアモータ可動子部２２に電機子電流を供給して直線移動させる。前述の電流アンプ４３は、加圧力が設定されると、その加圧力に対応する電力を供給すると共に、各巻線の電流位相角が９０度になるように位相制御する。
【００３９】
従って、板型テーブル５は上昇して、被加工板材に対して上型１０の加圧力が作用し、被加工板材は下型８の溝内に押し込まれて所望の角度だけ折り曲げられる。
【００４０】
＜実施の形態２＞
クラウニングの役割は、上部テーブル及び下部テーブルのたわみ曲線を極力同じにすることにある。このため、実施の形態１では下部テーブル５の中央部付近のリニアモータの出力が大きくなるように、この部分のリニアモータに他のリニアモータより大きな電力を供給したが、大きな電力を供給できない場合は、図７に示すようにリニアモータ可動子部２５側を大きくし、中央部付近のリニアモータの出力が他のリニアモータより大きくなるようにしてもよい。
【００４１】
例えば、図７においては、リニアモータをクラウニングの分布に合わせて、厚み及び長さを中央部に進むにつれて順次大きくしている。
【００４２】
＜実施の形態３＞
図１に示すようにリニアモータを直線状に複数配列した場合は、図８に示すように、リニアモータ可動子２２とリニアモータ固定子２３との間に（イ）方向の力が働き、前板５ａ、後板５ｂの前後方向の力によるたわみが生じる。
【００４３】
このたわみを抑えるために、実施の形態３では下部テーブル５とリニアモータを以下に示すように取り付ける。
【００４４】
図９は実施の形態３のベンディングマシンに用いる下部テーブル装置５０の概略構成図である。
【００４５】
実施の形態３の下部テーブル装置５０は、図９に示すように、下部テーブル５に、両端部が取付け可能なユニット型リニアモータ５１を直線上に複数配列している。
【００４６】
このユニット型リニアモータ５１は、図９に示すようにリニアモータ可動子部５２及びリニアモータ固定子部５３が四角タイプにされている。このリニアモータ可動子部５２の両端部には下部テーブル５に取り付けられる支持ブロック５４ａ、５４ｂが取り付けられている。また、リニアモータ固定子部５３の内部には４方向にコイルが施されている。
【００４７】
すなわち、図９に示す実施の形態３の下部テーブル装置５０は、リニアモータ可動子部５２に支持ブロック５４ａ、５４ｂを取り付けたユニット型リニアモータ５１を、下部テーブル５の前面２５ａ及び後面２５ｂに取付け、かつリニアモータ固定子部５３を前板又は後板に取り付けている。
【００４８】
このため、リニアモータ可動子部５２のみが上昇し、この上昇に伴って支持ブロック５４ａ、５４ｂが下部テーブル５を支持しながら下部テーブル５を上昇させる。このとき、図８で説明したように（イ）方向の力が働く、リニアモータ可動子部５３の内部には４方向にコイルが置かれているので、（イ）方向の力を抑制する。従って、前板５ａ、後板５ｂの前後方向の力によるたわみが生じることがない。
【００４９】
また、実施の形態３において、下部テーブル５の中央部付近のリニアモータに対して他のリニアモータより大きな電力を供給できない場合は、中央部分のユニット型のリニアモータを他のリニアモータより大きくなるようにすることによってクラウニングを補正してもよい。
【００５０】
例えば、クラウニングの分布に合わせて、厚み及び長さを中央部に進むにつれて順次大きくする。
【００５１】
＜実施の形態４＞
実施の形態３においては、下部テーブル５に穴を設けなくとも、平板型のリニアモータを用いることによって発生する前板５ａ、後板５ｂの前後方向の力を抑えるために、四角タイプのリニアモータを用いたが下部テーブル５に大きな穴を設けてもよい場合は、以下に示す円筒型のリニアモータを用いた下部テーブル装置６０にする。
【００５２】
図１０は実施の形態４の下部テーブル装置６０の概略構成図である。実施の形態４の下部テーブル装置６０は、下部テーブル５に後述する円筒型のリニアモータ６１を複数配列するための長方形の穴６１が複数貫通されている。そして、この長方形の穴６１に、円筒型のリニアモータ６２を設けている。
【００５３】
この円筒型のリニアモータ６２は、円柱型のリニアモータ可動子部６３と、円筒型のリニアモータ固定子部６４と、リニアモータ固定子部６４に取り付けられた前板５ａに取り付けられる支持ブロック６５ａ及び後板５ｂに取り付けられる支持ブロック６５ｂとから構成されている。
【００５４】
従って、リニアモータ固定子部６４が支持ブロック６５ａ、６５ｂによって前板５ａ、後板５ｂに固定されているので、リニアモータ可動子部６３のみが上昇し、この上昇に伴って下部テーブル５が上昇すると共に、円形のリニアモータにしているので、前板５ａ、後板５ｂの前後方向の力によるたわみが生じることがない。
【００５５】
前述の円筒型のリニアモータ６２の内部は、例えば図１１に示すように構成されている。図１１に示す円筒型のリニアモータ６２は、放射状に磁化したリング状の互いに磁極が異なる永久磁石７０ａ、７０ｂをリニアモータ可動子部６３に偶数極取付けている。これらの永久磁石７０ａ、７０ｂは、外側がＮ極又はＳ極となるように形成された永久磁石であって、その材質はフェライト又は磁石鋼を用いている。
【００５６】
また、これらの永久磁石７０ａ、７０ｂが通過できる大きな円孔にされ、かつ外側が正八角形状の板状磁性体をリニアモータ可動子部６３のストローク方向に積層した複数個の第１コア部７１を複数個適当な間隔のスロットを設けて形成している。この第１コア部７１の外側周辺部には、板状磁性体をリニアモータ可動子部６３の円周方向に積層した第２コア部７２を形成する。
【００５７】
そして、第１コア部７１と第２コア部７２の間に設けたスロットに、リング状にまかれた電機子コイル７３を挿入して構成されている。
【００５８】
このため、電機子コイル７３によって発生される磁界の磁力線はその方向に沿う板状の磁性体で構成される磁気回路、すなわちリニアモータ可動子部６３のストローク方向に積層された板状の磁性体からなる第１コア部７１と、リニアモータ可動子部６３方向の円周方向に積層された板状の磁性体からなる第２コア部７２で構成される磁気回路を流れる。従って、リニアモータ可動子部６３はストローク方向の推進力のみを受けて動く。
【００５９】
従って、リニアモータ可動子部６３の上昇によって、被加工板材に対して上型１０の加圧力が作用し、被加工板材は下型８の溝内に押し込まれて所望の角度だけ折り曲げられる。
【００６０】
なお、上記実施の形態４に用いるリニアモータは、図１２に示すように、界磁巻線を電気角１２０度ずつずらした３組の３相巻線として電機子側に設け、電機子巻線も電気角１２０度ずつずらした３組の３相巻線として電機子側に設け、その巻線間の電気角を９０度とした構造であってもよい。
【００６１】
また、実施の形態４において、下部テーブル５の中央部付近の円筒型のリニアモータに対して他の円筒型のリニアモータより大きな電力を供給できない場合は、中央部分の円筒型のリニアモータを他の円筒型のリニアモータより大きくなるようにすることによってクラウニングを補正してもよい。
【００６２】
例えば、クラウニングの分布に合わせて、厚み及び長さを中央部に進むにつれて順次大きくする。
【００６３】
また、ＮＣ本体部に高周波振動回路を備え、この回路からの信号を用いて下部テーブルを戻すときにリニアモータ可動子部を振動させてもよい。
【００６４】
【発明の効果】
以上のように本発明のリニアモータを用いた板金加工機は、下部テーブル部を複数のリニアモータで構築し、これらのリニアモータの可動子の駆動を制御部からの指示によって上下動するようにしたこにより、従来のように油圧系が不要となるので、装置自体がコンパクトになるという効果が得られている。
【００６５】
また、リニアモータによって下型を上下動させるので非常に高精度の曲げ加工を容易に実現できる。
【００６６】
さらに、本発明のリニアモータ型の下部テーブル装置は、リニアモータによって下部テーブルが可動する下部テーブル装置としたので、例えばベンディングマシンの製造時において、取付精度が重要なリニアモータを作業者がアライメント調整を行いながら取付しなくともよいので、作業時間が短縮するという効果が得られている。
【図面の簡単な説明】
【図１】本発明の実施の形態１の概略構成図である。
【図２】図１のＡ矢視方向の断面図である。
【図３】リニアモータ可動子部２２とリニアモータ固定子部２３との関係例を説明する説明図である。
【図４】本実施の形態のリニアモータ型の下部テーブル装置の取付を説明する説明図である。
【図５】本実施の形態の制御系の概略構成図である。
【図６】ドライブ回路部の概略構成図である。
【図７】中央部付近のリニアモータを大きくしたときの説明図である。
【図８】実施の形態１の課題を説明する説明図である。
【図９】実施の形態３のベンディングマシンに用いる下部テーブル装置５０の概略構成図である。
【図１０】実施の形態４の下部テーブル装置６０の概略構成図である。
【図１１】筒型のリニアモータ６２の内部を示す構成図である。
【図１２】他の円筒型リニアモータの説明図である。
【図１３】従来のベンディングマシンの構成図である。
【符号の説明】
１  機械本体部
２  操作ボックス
４  上部テーブル
５  下部テーブル
５ａ  前板
５ｂ  後板
２１  下部テーブル装置
２２  リニアモータ可動子部
２３  リニアモータ固定子部
３５  ドライブ回路部
３６  ＮＣ本体部
【図１】
0003863975.tif 000002
【図２】
0003863975.tif 000003
【図３】
0003863975.tif 000004
【図４】
0003863975.tif 000005
【図５】
0003863975.tif 000006
【図６】
0003863975.tif 000007
【図７】
0003863975.tif 000008
【図８】
0003863975.tif 000009
【図９】
0003863975.tif 000010
【図１０】
0003863975.tif 000011
【図１１】
0003863975.tif 000012
【図１２】
0003863975.tif 000013
【図１３】
0003863975.tif 000014